(57)【要約】【課題】情報処理装置の動作状況に応じた閲覧コンテンツを情報閲覧端末で簡単に閲覧可能にするための技術を提供する。【解決手段】リモコン端末５のリンクボタン５５ａをワンタッチ操作すると、リモコン端末５からカラオケ装置４へ動作状況問い合わせのリクエストを送信する。リモコン端末５からリクエストを受信したカラオケ装置４は、再生中のコンテンツに対応したリンク情報を生成し、リモコン端末５へ送信する。このリンク情報を受信したリモコン端末５は、このリンク情報に含まれるＵＲＬやパラメータを元に、Ｗｅｂサーバ２へアクセスする。リモコン端末５からＷｅｂページの送信をリクエストされたＷｅｂサーバ２は、リモコン端末５から通知されたパラメータの内容に基づいてカスタマイズしたＷｅｂページを生成し、これをリモコン端末５へ送信する。Ｗｅｂサーバ２からＷｅｂページを受信したリモコン端末５は表示部にＷｅｂページを表示する。【選択図】図１
2011075925.tif 000002
【特許請求の範囲】
【請求項１】
情報処理装置と、この情報処理装置と共に使用され、インターネットへ接続可能な情報閲覧端末と、インターネットに接続され、前記情報閲覧端末へＷｅｂページを提供するＷｅｂサーバとを備える情報閲覧システムであって、
前記情報閲覧端末は、
Ｗｅｂページを閲覧するためのＷｅｂブラウザ手段と、
閲覧ユーザの識別情報を記憶するユーザ記憶手段と、
情報処理装置の動作状況に対応したＷｅｂページを前記Ｗｅｂブラウザ手段に表示させる指示を、ユーザからのワンタッチ操作で入力可能な入力手段と、
ユーザによって前記入力手段が操作された場合、前記ユーザ記憶手段に記憶されている閲覧要求ユーザの識別情報を含む動作状況取得要求を前記情報処理装置へ送信する要求手段と、
前記要求手段による動作状況取得要求の送信に応じて前記情報処理装置から返信されるリンク情報を取得するリンク情報取得手段とを備え、
前記Ｗｅｂブラウザ手段は、前記リンク情報取得手段により取得したリンク情報に含まれる接続先情報で示されるＷｅｂサーバにアクセスすると共に、前記リンク情報に含まれるユーザ情報と情報処理装置情報とをそのＷｅｂサーバへ通知し、その結果、当該Ｗｅｂサーバから送信されてきた第１のＷｅｂページを表示部に表示し、
前記情報処理装置は、
自情報処理装置で実行する特定の処理の動作状況に対応するＷｅｂページを提供するＷｅｂサーバへの接続先情報を記憶する接続先記憶手段と、
前記情報閲覧端末から前記動作状況取得要求を受信した場合、そのときに自情報処理装置で実行している特定の処理の動作状況に該当する接続先情報を前記接続先記憶手段から取得し、前記情報閲覧端末に第１のＷｅｂページを表示させるための情報であって、前記取得した接続先情報と、当該閲覧要求ユーザに関する所定のユーザ情報と、自情報処理装置に関する所定の情報処理装置情報とを含むリンク情報を生成するリンク情報生成手段と、
前記リンク情報生成手段によって作成したリンク情報を要求元の情報閲覧端末へ送信するリンク情報送信手段とを備え、
前記Ｗｅｂサーバは、
前記情報閲覧端末から通知された前記ユーザ情報又は前記情報処理装置情報の少なくとも何れかの情報に対応した内容の第１のＷｅｂページを生成するＷｅｂページ生成手段と、
前記Ｗｅｂページ生成手段により生成した第１のＷｅｂページを要求元の前記情報閲覧端末へ送信するＷｅｂページ送信手段とを備えること
を特徴とする情報閲覧システム。
【請求項２】
請求項１に記載の情報閲覧システムにおいて、
前記情報処理装置では、
前記接続先記憶手段は、前記特定の処理の動作状況に対応するＷｅｂページの取得先のホスト名を少なくとも含む情報を前記接続先情報として記憶しており、
前記リンク情報生成手段は、前記取得先情報のホスト名を含むＵＲＬと、このＵＲＬに付加するためのＵＲＬパラメータの値である前記ユーザ情報及び前記情報処理装置情報とを含むリンク情報を生成し、
前記情報閲覧端末では、
前記Ｗｅｂブラウザ手段は、前記取得したリンク情報に含まれるＵＲＬで示されるＷｅｂサーバへアクセスすると共に、前記ユーザ情報と前記情報処理装置情報とをＵＲＬパラメータとして前記Ｗｅｂサーバへ渡し、前記第１のＷｅｂページを取得すること
を特徴とする情報閲覧システム。
【請求項３】
請求項１に記載の情報閲覧システムにおいて、
前記情報処理装置では、
前記接続先記憶手段は、前記特定の処理の動作状況に対応するＷｅｂページの取得先のホスト名を少なくとも含む情報を前記接続先情報として記憶しており、
前記情報閲覧端末では、
前記Ｗｅｂブラウザ手段は、前記取得したリンク情報に含まれるホスト名を含むＵＲＬを生成し、そのＵＲＬで示されるＷｅｂサーバへアクセスすると共に、前記ユーザ情報と前記情報処理装置情報とをＵＲＬパラメータとして前記Ｗｅｂサーバへ渡し、前記第１のＷｅｂページを取得すること
を特徴とする情報閲覧システム。
【請求項４】
請求項１ないし請求項３の何れか１項に記載の情報閲覧システムにおいて、
前記Ｗｅｂサーバでは、
前記Ｗｅｂページ生成手段は、第２のＷｅｂページを表示させるための接続先情報を更に含む第１のＷｅｂページを生成し、
前記情報閲覧端末では、
Ｗｅｂブラウザを有する携帯通信端末との間で無線通信を行うための携帯端末向け通信手段を更に備え、
前記Ｗｅｂブラウザ手段は、前記Ｗｅｂサーバから取得した第１のＷｅｂページのデータ内に、前記第２のＷｅｂページを表示させるための接続先情報が含まれている場合、前記携帯端末向け通信手段を介してその第２のＷｅｂページを表示させるための接続先情報を前記携帯通信端末へ送信すること
を特徴とする情報閲覧システム。
【請求項５】
情報処理装置と、この情報処理装置と共に使用され、インターネットへ接続可能な情報閲覧端末とを備える情報閲覧システムにおける情報閲覧方法であって、
前記情報閲覧端末では、
閲覧ユーザの識別情報をユーザ記憶手段に記憶しておき、
情報処理装置の動作状況に対応したＷｅｂページをＷｅｂブラウザ手段に表示させる指示を、ユーザからのワンタッチ操作で入力可能な入力手段が操作された場合、前記ユーザ記憶手段に記憶されている閲覧要求ユーザの識別情報を含む動作状況取得要求を前記情報処理装置へ送信する要求手順と、
前記要求手順における動作状況取得要求の送信に応じて前記情報処理装置から返信されるリンク情報を取得するリンク情報取得手順と、
前記リンク情報取得手順において取得したリンク情報に含まれる接続先情報で示されるＷｅｂサーバにアクセスすると共に、前記リンク情報に含まれるユーザ情報と情報処理装置情報とをそのＷｅｂサーバへ通知し、その結果、当該Ｗｅｂサーバから送信されてきた第１のＷｅｂページを表示部に表示する表示手順とを行い、
前記情報処理装置では、
自情報処理装置で実行する特定の処理の動作状況に対応するＷｅｂページを提供するＷｅｂサーバへの接続先情報を接続先記憶手段に記憶しておき、
前記情報閲覧端末から前記動作状況取得要求を受信した場合、そのときに自情報処理装置で実行している特定の処理の動作状況に該当する接続先情報を前記接続先記憶手段から取得し、前記情報閲覧端末に第１のＷｅｂページを表示させるための情報であって、前記取得した接続先情報と、当該閲覧要求ユーザに関する所定のユーザ情報と、自情報処理装置に関する所定の情報処理装置情報とを含むリンク情報を生成するリンク情報生成手順と、
前記リンク情報生成手順において作成したリンク情報を要求元の情報閲覧端末へ送信するリンク情報送信手順とを行い、
前記Ｗｅｂサーバでは、
前記情報閲覧端末から通知された前記ユーザ情報又は前記情報処理装置情報の少なくとも何れかの情報に対応した内容の第１のＷｅｂページを生成するＷｅｂページ生成手順と、
前記Ｗｅｂページ生成手順において生成した第１のＷｅｂページを要求元の前記情報閲覧端末へ送信するＷｅｂページ送信手順とを行うこと
を特徴とする情報閲覧方法。
【請求項６】
情報処理装置と共に使用され、インターネットへ接続可能な情報閲覧端末であって、
Ｗｅｂページを閲覧するためのＷｅｂブラウザ手段と、
閲覧ユーザの識別情報を記憶するユーザ記憶手段と、
情報処理装置の動作状況に対応したＷｅｂページを前記Ｗｅｂブラウザ手段に表示させる指示を、ユーザからのワンタッチ操作で入力可能な入力手段と、
ユーザによって前記入力手段が操作された場合、前記ユーザ記憶手段に記憶されている閲覧要求ユーザの識別情報を含む動作状況取得要求を前記情報処理装置へ送信する要求手段と、
前記要求手段による動作状況取得要求の送信に応じて前記情報処理装置から返信されるリンク情報を取得するリンク情報取得手段とを備え、
前記Ｗｅｂブラウザ手段は、前記リンク情報取得手段により取得したリンク情報に含まれる接続先情報で示されるＷｅｂサーバにアクセスすると共に、前記リンク情報に含まれるユーザ情報と情報処理装置情報とをそのＷｅｂサーバへ通知し、その結果、当該Ｗｅｂサーバから送信されてきた第１のＷｅｂページを表示部に表示すること
を特徴とする情報閲覧端末。
【請求項７】
請求項６に記載の情報閲覧端末において、
前記Ｗｅｂブラウザ手段は、前記アクセス先のＷｅｂサーバにおいて前記ユーザ情報又は前記情報処理装置情報の少なくとも何れかの情報に対応した内容で生成された第１のＷｅｂページを、当該アクセスに対する応答として前記Ｗｅｂサーバから受信し、その受信した第１のＷｅｂページを表示部に表示すること
を特徴とする情報閲覧端末。
【発明の詳細な説明】
【技術分野】
【０００１】
本発明は、例えばカラオケ装置等の情報処理装置と共に使用され、Ｗｅｂブラウザ機能を備えた情報閲覧端末に関する。
【背景技術】
【０００２】
カラオケサービスを提供するカラオケ施設には、カラオケ楽曲や広告コンテンツを再生するカラオケ装置と共に使用されるリモコン端末の「電子早見本」といわれる楽曲検索端末が用意されていることが多い。近年、このような楽曲検索端末にＷｅｂブラウザ機能が実装され、与えられたＵＲＬ（Uniform Resource Locator）で示されるＷｅｂページをインターネット経由で取得してユーザに提示することができるようになっている（例えば、特許文献１参照）。
【先行技術文献】
【特許文献】
【０００３】
【特許文献１】特開２００２−２８７７７８
【発明の概要】
【発明が解決しようとする課題】
【０００４】
楽曲検索端末にＷｅｂブラウザ機能が実装されることにより、楽曲検索端末向けの閲覧コンテンツを作成することは容易になった。しかしながら、楽曲検索端末と共に利用されるカラオケ装置において現在再生中のカラオケ楽曲や広告等のコンテンツの内容と、楽曲検索端末向けに提供される閲覧コンテンツの内容とを同期させることはできなかった。このため、カラオケ装置で再生中の広告コンテンツ等をユーザが見て、そのなかでユーザが気になった情報の詳細が載ったインターネット上の閲覧コンテンツを楽曲検索端末で即座に取得して提示することが難しかった。
【０００５】
また、このような課題は、カラオケサービスの分野に限らず、例えば、表示パネルとＷｅｂブラウザ機能を備えたプリンタ等の周辺機器（カラオケの楽曲検索端末に相当）と、この周辺機器と共に利用されるパソコン等の情報処理装置（カラオケのカラオケ装置に相当）からなる情報処理システムについても当てはまる。例えば、プリンタがインターネット経由でＷｅｂサーバから取得する閲覧コンテンツ（例えば、マニュアル等）の内容と、情報処理装置の動作状況を同期させることはできなかった。このため、情報処理装置で稼働中のアプリケーションの処理状況に応じたインターネット上の閲覧コンテンツを周辺機器で即座に取得して提示することが難しかった。
【０００６】
本発明は、上記課題を解決するためになされており、情報処理装置と、この情報処理装置と共に使用される情報閲覧端末とからなる情報閲覧システムにおいて、情報処理装置の動作状況に応じた閲覧コンテンツを情報閲覧端末で簡単に閲覧可能にするための技術を提供することを目的とする。
【課題を解決するための手段】
【０００７】
上記目的を達成するためになされた請求項１に記載の情報閲覧システムは、情報処理装置と、この情報処理装置と共に使用され、インターネットへ接続可能な情報閲覧端末と、インターネットに接続され、情報閲覧端末へＷｅｂページを提供するＷｅｂサーバとを備えるものであって、各装置は次のような特徴を有する。
【０００８】
情報閲覧端末は、Ｗｅｂページを閲覧するためのＷｅｂブラウザ手段と、閲覧ユーザの識別情報を記憶するユーザ記憶手段と、情報処理装置の動作状況に対応したＷｅｂページをＷｅｂブラウザ手段に表示させる指示を、ユーザからのワンタッチ操作で入力可能な入力手段と、要求手段と、リンク情報取得手段とを備える。このうち、要求手段は、ユーザによって入力手段が操作された場合、ユーザ記憶手段に記憶されている閲覧要求ユーザの識別情報を含む動作状況取得要求を情報処理装置へ送信する。また、リンク情報取得手段は、要求手段による動作状況取得要求の送信に応じて情報処理装置から返信されるリンク情報を取得する。
【０００９】
そして、Ｗｅｂブラウザ手段は、リンク情報取得手段により取得したリンク情報に含まれる接続先情報で示されるＷｅｂサーバにアクセスすると共に、リンク情報に含まれるユーザ情報と情報処理装置情報とをそのＷｅｂサーバへ通知し、その結果、当該Ｗｅｂサーバから送信されてきた第１のＷｅｂページを表示部に表示する。
【００１０】
情報処理装置は、自情報処理装置で実行する特定の処理の動作状況に対応するＷｅｂページを提供するＷｅｂサーバへの接続先情報を記憶する接続先記憶手段と、リンク情報生成手段と、リンク情報送信手段とを備える。このうち、リンク情報生成手段は、情報閲覧端末から動作状況取得要求を受信した場合、そのときに自情報処理装置で実行している特定の処理の動作状況に該当する接続先情報を接続先記憶手段から取得する。そして、情報閲覧端末に第１のＷｅｂページを表示させるための情報であって、取得した接続先情報と、当該閲覧要求ユーザに関する所定のユーザ情報と、自情報処理装置に関する所定の情報処理装置情報とを含むリンク情報を生成する。リンク情報送信手段は、リンク情報生成手段によって作成したリンク情報を要求元の情報閲覧端末へ送信する。
【００１１】
Ｗｅｂサーバは、情報閲覧端末から通知されたユーザ情報又は情報処理装置情報の少なくとも何れかの情報に対応した内容の第１のＷｅｂページを生成するＷｅｂページ生成手段と、Ｗｅｂページ生成手段により生成した第１のＷｅｂページを要求元の情報閲覧端末へ送信するＷｅｂページ送信手段とを備える。
【００１２】
このように構成された情報閲覧システムによれば、情報閲覧端末に備えられた入力手段をワンタッチ操作するだけで、その時点での情報処理装置の動作状況に同期した内容のＷｅｂページを簡単に閲覧できる。
【００１３】
例えば、カラオケシステムの例を挙げると、電子早見本（情報閲覧端末に相当）からワンタッチ操作された時点で、カラオケ装置（情報処理装置に相当）がカラオケ楽曲を再生中であれば、その再生中楽曲の情報を提供するＷｅｂサイトへ接続するための接続先情報を電子早見本に通知することが考えられる。あるいは、カラオケ装置が広告コンテンツを再生中であれば、その広告提供企業が運営するＷｅｂサイトへ接続するための接続先情報を電子早見本に通知するといった具合である。
【００１４】
さらに、情報処理装置が情報閲覧端末へ送信するリンク情報には、接続先情報に加え、閲覧ユーザに関する情報や、情報処理装置に関する情報が含まれている。ユーザ情報としては、単に閲覧ユーザの識別情報だけであってもよいし、より詳細なプロフィール（年齢、性別、趣味、所属グループ等）を含むものであってもよい。なお、ユーザのプロフィール等の情報は、例えば、情報閲覧システムに予めユーザ登録されているユーザが、当該情報閲覧システムの利用を開始するためにログインしたときに、情報処理装置がそのユーザのプロフィールを認証用サーバから取得することが考えられる。あるいは、ユーザごとに予めプロフィールを情報処理装置に登録しておいてもよい。また、情報処理装置情報としては、単に情報処理装置の識別情報だけであってもよいし、その時の情報処理装置の動作状況（再生中のコンテンツ名称・番号や動作中のアプリケーション名等）や、情報処理装置のロケーション（店舗の位置・名称等）等の情報を含むものであってもよい。
【００１５】
情報処理装置の動作状況に対応する接続先のＷｅｂサーバに、これらのユーザ情報や情報処理装置情報を通知することで、Ｗｅｂサーバにおいてこれらの情報を反映し、よりユーザ向けにカスタマイズされた内容のＷｅｂページを作成できる。また、Ｗｅｂサーバにおいて、閲覧者の情報や閲覧回数、場所（店舗）等の集計を行うことができ、広告提供企業に対して広告コンテンツの宣伝効果を開示できるといったメリットもある。
【００１６】
つぎに、請求項２に記載の情報閲覧システムは次のような特徴を有する。情報処理装置では、接続先記憶手段は、特定の処理の動作状況に対応するＷｅｂページの取得先のホスト名を少なくとも含む情報を接続先情報として記憶しており、リンク情報生成手段は、取得先情報のホスト名を含むＵＲＬと、このＵＲＬに付加するためのＵＲＬパラメータの値であるユーザ情報及び情報処理装置情報とを含むリンク情報を生成する。一方、情報閲覧端末では、Ｗｅｂブラウザ手段は、取得したリンク情報に含まれるＵＲＬで示されるＷｅｂサーバへアクセスすると共に、ユーザ情報と情報処理装置情報とをＵＲＬパラメータとしてＷｅｂサーバへ渡し、第１のＷｅｂページを取得する。
【００１７】
このように構成することで、情報処理装置で作成されたＵＲＬとＵＲＬパラメータとに基づき、情報閲覧端末において情報処理装置の動作状況に同期した内容のＷｅｂページを取得できる。
【００１８】
あるいは、請求項３の記載のように構成してもよい。すなわち、情報処理装置では、接続先記憶手段は、特定の処理の動作状況に対応するＷｅｂページの取得先のホスト名を少なくとも含む情報を接続先情報として記憶している。一方、情報閲覧端末では、Ｗｅｂブラウザ手段は、取得したリンク情報に含まれるホスト名を含むＵＲＬを生成し、そのＵＲＬで示されるＷｅｂサーバへアクセスすると共に、ユーザ情報と情報処理装置情報とをＵＲＬパラメータとしてＷｅｂサーバへ渡し、第１のＷｅｂページを取得する。
【００１９】
このように構成することで、情報処理装置から通知されたホスト名、ユーザ情報及び情報処理端末情報に基づき、情報閲覧端末で接続先のＵＲＬ及びＵＲＬパラメータを生成することができる。そして、この生成したＵＲＬ及びＵＲＬパラメータに基づき、情報閲覧端末は情報処理装置の動作状況に同期した内容のＷｅｂページを取得できる。
【００２０】
つぎに、請求項４に記載の情報閲覧システムは次のような特徴を有する。Ｗｅｂサーバでは、Ｗｅｂページ生成手段は、第２のＷｅｂページを表示させるための接続先情報を更に含む第１のＷｅｂページを生成する。一方、情報閲覧端末では、Ｗｅｂブラウザを有する携帯通信端末との間で無線通信を行うための携帯端末向け通信手段を更に備える。Ｗｅｂブラウザ手段は、Ｗｅｂサーバから取得した第１のＷｅｂページのデータ内に、第２のＷｅｂページを表示させるための接続先情報が含まれている場合、携帯端末向け通信手段を介してその第２のＷｅｂページを表示させるための接続先情報を携帯通信端末へ送信する。
【００２１】
このように構成することで、例えば、店舗に備え付けの情報閲覧端末で第１のＷｅｂページを閲覧した際に、ユーザが所有する携帯通信端末に対して第２のＷｅｂページを表示させるといった運用が可能である。これを利用することで、情報閲覧端末で第１のＷｅｂページを閲覧したユーザへの見返りとして、第２のＷｅｂページを用いてユーザが所有する携帯通信端末に対して特典を付与することができる。
【００２２】
つぎに、請求項５に記載の情報閲覧方法は、請求項１に記載の情報閲覧システムで行われる処理の手順に相当するものである。このような情報閲覧方法によれば、請求項１に記載の情報閲覧システムに関して記載した上記効果と同様の効果を得られる。
【００２３】
つぎに、請求項６，７に記載の情報閲覧端末は、請求項１に記載の情報閲覧システムを構成する情報閲覧端末として機能するものである。このように構成された情報閲覧端末を情報閲覧システムに適用することで、請求項１に記載の情報閲覧システムに関して記載した上記効果と同様の効果を得られる。
【図面の簡単な説明】
【００２４】
【図１】実施形態のカラオケネットワークシステム１の概略構成を示す説明図である。
【図２】カラオケ装置４、リモコン端末５、Ｗｅｂサーバ２が連携して行う一連の手順を示すラダーチャートである。
【図３】（ａ）はリモコン端末５からのリクエスト内容の一例を示す図であり、（ｂ）はカラオケ装置４からのレスポンス内容の一例であり、（ｃ）はリモコン端末５が作成するアクセスＵＲＬの一例である。
【図４】リモコン端末５が実行する処理の手順を示すフローチャートである。
【図５】カラオケ装置４が実行する処理の手順を示すフローチャートである。
【図６】Ｗｅｂサーバ２が実行する処理の手順を示すフローチャートである。
【発明を実施するための形態】
【００２５】
以下、本発明の一実施形態を図面に基づいて説明する。
［カラオケネットワークシステム１の構成の説明］
図１に示すように、カラオケネットワークシステム１は、ユーザにカラオケサービスを提供するカラオケ店舗に設置されるカラオケ装置４（特許請求の範囲の情報処理装置に相当）、及びカラオケ装置４と共に使用されるリモコン端末５（特許請求の範囲の情報閲覧端末に相当）がＬＡＮ１００を介して接続された店舗内のネットワークが、Ｗｅｂサーバ２が接続された広域ネットワークであるインターネット２００と接続されることによって形成されている。
【００２６】
Ｗｅｂサーバ２は、ＨＴＴＰ（HyperText Transfer Protocol）に則って、クライアント端末側で動作するＷｅｂブラウザに対してＷｅｂページを提供するＷｅｂサービス用のサーバ装置であり、クライアントへ提供するＷｅｂページデータを格納するデータベースを備え、適宜な処理能力を有する情報処理装置等で構成される。なお、図１では説明の便宜上、インターネット２００に１つのＷｅｂサーバ２が接続されている状態を示しているが、Ｗｅｂページによる広告や教養、娯楽等の情報提供を行う各種運営者ごとに複数のＷｅｂサーバ２がインターネット２００に接続しているものとする。
【００２７】
Ｗｅｂサーバ２は、インターネット２００及びカラオケ店舗側のルータ１２０を介して、カラオケ店舗側のＬＡＮ１００と接続しており、リモコン端末５との間で通信が可能になっている。なお、リモコン端末５等のクライアントとＷｅｂサーバ２との間の通信は、クライアントがＷｅｂサーバ２へＨＴＴＰリクエストメッセージを送信し、これに対しＷｅｂサーバ２がＨＴＴＰレスポンスメッセージとしてＷｅｂページを返信することで行われる。
【００２８】
カラオケ装置４は、カラオケサービスを利用するユーザから指定されたカラオケ楽曲や、広告、映画、バラエティ番組、ドラマといった映像コンテンツやオーディション、クイズ等のユーザ参加型のコンテンツ、飲食物の注文といった購買コンテンツ等、様々なコンテンツの再生を行うための装置である。また、カラオケ装置４は、Ｗｅｂサーバ機能を有し、リモコン端末５からの動作状況の問い合わせのＨＴＴＰリクエストに対して、自カラオケ装置４の動作状況に応じた動作状況情報をＨＴＴＰレスポンスとして送信する。カラオケ装置４は、ハードウェア構成としてＣＰＵ４１、ＲＡＭ４２、ＲＯＭ４３、ハードディスクドライブ４４（以下、ＨＤＤ４４と称する）、操作部４５、再生部４６、ＬＡＮ通信部４７等を備える。
【００２９】
ＣＰＵ４１は、ＲＡＭ４２やＲＯＭ４３に記憶されたプログラムやデータに従って、カラオケ装置４各部に対する制御及び各種演算を実行する装置で、後述する楽曲再生待ち処理やＣＧＩ処理は、このＣＰＵ４１によって実行される。ＲＡＭ４２は、ＣＰＵ４１から直接アクセスされるメインメモリ等として利用される記憶装置である。ＲＯＭ４３は、読み出し専用の不揮発性記憶装置であり、ＢＩＯＳや通常であれば更新されない読み出し専用のデータ等を記憶している。ＨＤＤ４４は、カラオケ用の楽曲データや映像データ等のコンテンツデータやプログラム等の各種データを保存しておくための装置である。
【００３０】
また、ＨＤＤ４４には、カラオケ装置４で実行する特定の処理の動作状況に対応するＷｅｂページを提供するＷｅｂサーバ２への接続先情報が記憶されている。具体的には、カラオケ装置４が複数の広告コンテンツを順次再生している状態に対応する接続先情報として、その広告提供企業が運営するＷｅｂサイトへ接続するためのホスト名を記憶しておく。あるいは、カラオケ楽曲を再生している状態に対応する接続先として、再生中のカラオケ楽曲に関する詳細な情報を提供するＷｅｂサイトへ接続するためのホスト名を記憶しておく。カラオケ楽曲に関する詳細な情報を提供するＷｅｂサイトとしては、それぞれ楽曲の発売元が運営するＷｅｂサイトであってもよいし、全てのカラオケ楽曲についての詳細情報を一括して提供する第三者が運営するＷｅｂサイトであってもよい。前者の場合、カラオケ楽曲ごとに接続先のホスト名を記憶しておけばよく、後者の場合、その第三者が運営するＷｅｂサイトのホスト名を記憶しておけばよい。
【００３１】
操作部４５は、ユーザからの各種指示を入力するための入力装置であり、複数のキースイッチ等によって構成される。再生部４６は、マイクロフォン、演奏データあるいは録音データに基づく演奏再生を行う音源部、音源部で生成されたオーディオ信号及びマイクロフォンから入力されたオーディオ信号をスピーカへ出力する音声制御部、画像データに基づく映像の再生を制御する映像再生部、映像を表示するためのモニタ等を備える。ＬＡＮ通信部４７は、カラオケ装置４をＬＡＮ１００に接続して外部と通信を行うための通信インタフェースである。
【００３２】
リモコン端末５は、カラオケルーム内でカラオケ装置４を遠隔操作するためのものであり、ユーザが再生を希望するコンテンツの再生の予約を行うための操作等の各種操作をユーザから受け付け、その操作信号を無線ＬＡＮ規格に従った無線通信によって操作対象のカラオケ装置４に送信する機能を有する。また、インターネット２００を介してＷｅｂサーバ２へアクセスし、Ｗｅｂサーバ２から受信したデータに基づいてＷｅｂページの閲覧や更新を行うためのブラウザ機能も有する。
【００３３】
リモコン端末５は、ハードウェア構成としてＣＰＵ５１、ＲＡＭ５２、ＲＯＭ５３、不揮発性メモリ５４、操作部５５、表示部５６、無線ＬＡＮ通信部５７、ＲＦＩＤ通信部５８等を備えている。ＣＰＵ５１は、ＲＡＭ５２やＲＯＭ５３に記憶されたプログラムやデータに従って、リモコン端末５各部に対する制御及び各種演算を実行する装置である。ＲＡＭ５２は、ＣＰＵ５１から直接アクセスされるメインメモリ等として利用される記憶装置である。ＲＯＭ５３は、読み出し専用の不揮発性記憶装置であり、ＢＩＯＳや通常であれば更新されない読み出し専用のデータ等を記憶している。不揮発性メモリ５４は、各種データを保存しておくための書き換え可能な不揮発性記憶装置である。
【００３４】
操作部５５は、ユーザからの各種指示を入力するための入力装置であり、表示部５６の表示領域に沿って設置されるタッチパネル及び表示部５６外に用意された複数のキースイッチ等（図示せず）によって構成される。また、操作部５５は、本発明の特徴的な構成としてリンクボタン５５ａを備えており、ユーザがこのボタンをワンタッチ操作するだけで、カラオケ装置４の動作状況に関連するＷｅｂページを表示部５６に表示できるようになっている。なお、このリンクボタン５５ａは、表示部５６上のタッチパネルと連動したアイコンで構成されたものであってもよいし、表示部５６外のキースイッチで構成されたものであってもよい。
【００３５】
表示部５６は、画像を表示するための表示装置であり、例えば液晶ディスプレイ等によって構成される。無線ＬＡＮ通信部５７は、ＬＡＮ１００に接続された無線アクセスポイント１１０との間で所定の無線ＬＡＮ規格に従った無線通信を行うための通信インタフェースである。ＲＦＩＤ通信部５８は、所定の非接触型ＩＣカードの技術方式に則った近距離無線通信により、同じ非接触型ＩＣカードの通信機能を搭載した機器との間で通信を行うための通信インタフェースである。この通信インタフェースには、Ｂｌｕｅｔｏｏｈ（登録商標）など、他の近距離通信技術を用いることもできる。なお、本実施形態では、ＲＦＩＤ通信部５８との間で通信を行う機器として、ユーザが所有する携帯電話６を想定している。この携帯電話６は、インターネットへ接続してＷｅｂページを表示するＷｅｂブラウザ機能を備えるものである。
【００３６】
ＬＡＮ１００には無線アクセスポイント１１０が接続されている。この無線アクセスポイント１１０は、所定の無線ＬＡＮ規格に従った無線通信で端末間を接続するための電波中継機であり、複数の端末と同時に通信を行う機能を有する。リモコン端末５とカラオケ装置４とは、この無線アクセスポイント１１０を中継することによって、ＬＡＮ１００を介して互いにデータ通信を行うことができる。また、リモコン端末５とＷｅｂサーバ２とは、この無線アクセスポイント１１０を中継することによって、ＬＡＮ１００及びインターネット２００を介して互いにデータ通信を行うことができる。
【００３７】
ルータ１２０は、異なるネットワーク間を相互接続する通信機器である。このルータ１２０は、外部ネットワークであるインターネット２００と、内部ネットワークであるＬＡＮ１００との接続点に置かれており、ＬＡＮ１００からの通信をインターネット２００側に送出し、インターネット２００側からの通信をＬＡＮ１００へ送出する。
【００３８】
なお、本実施形態のカラオケネットワークシステム１では、所定のサービスを利用するためのアカウントを有するユーザがサービスの利用を開始（ログイン）する際、このリモコン端末５にユーザＩＤ及び認証用のパスワードを入力するようになっている。入力されたユーザＩＤ及びパスワードはリモコン端末５から認証用のホストサーバ（図示なし）へ送信され、このホストサーバにおいてログインの認証が行われる。ホストサーバによる認証の結果、ログインの許可通知がホストサーバからリモコン端末５へ送信されると、リモコン端末５は当該ユーザＩＤをＲＡＭ５２等に記憶する。これによりユーザのログインが成立し、以降、リモコン端末５で行う楽曲のリクエスト等の各種操作を当該ユーザＩＤに対応付ける。また、１つのリモコン端末５で複数のユーザのログインを並行して受け付け可能に構成されており、複数人で１つのリモコン端末５を共用する際は、操作を行うユーザがログイン中の複数のユーザの中から自分のアカウントをリモコン端末５上で選択してから操作を行うようになっている。
【００３９】
［リモコン端末５のリンクボタンによる情報閲覧の手順の説明］
つぎに、リモコン端末５においてリンクボタン５５ａが操作されてから、リモコン端末５のＷｅｂブラウザによってＷｅｂページが表示されるまでの一連の処理流れを、図２のラダーチャートに基づいて説明する。
【００４０】
リモコン端末５に設けられたリンクボタン５５ａがユーザによって押下されると、まず、リモコン端末５が操作対象のカラオケ装置４に対して動作状況を問い合わせるＨＴＴＰリクエストを送信する。この問い合わせには、操作者として選択中のユーザ（以下、選択ユーザ）のユーザＩＤが含まれている。
【００４１】
リモコン端末５から動作状況を問い合わせるリクエストを受信したカラオケ装置４は、現在の動作状況を示す情報や、リモコン端末５に対する動作指示、リモコン端末５に表示させるＷｅｂページのＵＲＬ情報等のリンク情報を含んだ動作状況情報（図３（ｂ）参照）のＨＴＴＰレスポンスを要求元のリモコン端末５へ送信する。
【００４２】
カラオケ装置４から動作状況情報のレスポンスを受信したリモコン端末５は、そのリンク情報としてＷｅｂページを開く動作指示及びＵＲＬ情報が含まれている場合、そのＵＲＬで示される接続先のＷｅｂサーバ２に対してＷｅｂページデータの送信を要求するＨＴＴＰリクエストを送信する。このとき、選択ユーザに関する所定の情報や当該カラオケ店舗のロケーション情報等をＵＲＬパラメータとして接続先のＷｅｂサーバ２へ通知する。
【００４３】
リモコン端末５からＷｅｂページデータの送信を要求するリクエストを受信したＷｅｂサーバ２では、ＵＲＬパラメータとして通知されてきたユーザ情報やロケーション情報をロギングする。そして、このユーザ情報やロケーション情報を加味した内容のＷｅｂページデータを生成し、その生成したＷｅｂページデータをＨＴＴＰレスポンスとして要求元のリモコン端末５へ送信する。なお、ここで生成するＷｅｂページデータには、更に他のＷｅｂページ（第２のＷｅｂページ）へアクセスするためのＵＲＬ情報を含むようにしてもよい。
【００４４】
Ｗｅｂサーバ２からＷｅｂページデータを受信したリモコン端末５は、ＷｅｂブラウザによってこのＷｅｂページを表示部５６に表示する。また、Ｗｅｂサーバ２から受信したＷｅｂページデータ内に、第２のＷｅｂページへアクセするためのＵＲＬ情報が含まれている場合、ＲＦＩＤ通信部５８を介して第２のＷｅｂページのＵＲＬ情報を携帯電話６へ送信する。
【００４５】
［リモコン端末５のリクエスト内容及びカラオケ装置４のレスポンス内容の説明］
図３（ａ）は、リモコン端末５のリンクボタン５５ａが押下されたときにリモコン端末５からカラオケ装置４へ送信されるリクエスト内容の一例を示す説明図である。図３（ａ）に示すように、リモコン端末５からカラオケ装置４へのリクエストに用いられるＵＲＬには、カラオケ装置４のＷｅｂサーバプログラム上で動作状況情報を生成するＣＧＩ（Common Gateway Interface）プログラム（link.cgi）に対して動作を要求するメッセージと、そのＣＧＩプログラムの動作に必要なＵＲＬパラメータ（userid=bro_001）とが含まれる。このＵＲＬパラメータにおける「userid」のフィールド名は、リンクボタン５５ａの押下時にリモコン端末５上で操作者として選択されている選択ユーザのＩＤを示すものであり、このフィールド名（userid）に続く値には、選択ユーザのユーザＩＤ（bro_001）が付加される。
【００４６】
つぎに、図３（ｂ）は、リモコン端末５から送信されたリクエストに対するカラオケ装置４からのレスポンスとなるレスポンス内容の一例を示す説明図である。カラオケ装置４からリモコン端末５へのレスポンス内容に含まれる動作状況情報は、リモコン端末５からのリクエストに応じて動作したＣＧＩプログラムによって生成され、その内容はＨＴＴＰでの送信に適したＸＭＬ（Extensible Markup Language）の書式に則って記述される。
【００４７】
図３（ｂ）に示すように、レスポンス内容の１行目は、シフトＪＩＳコードで書かれたＸＭＬの書式であることを示す宣言文である。２行目の<link>と最終行の</link>とで囲まれた範囲が実際の動作状況情報に含まれるリンク情報となる。３，４行目が、カラオケ装置４の状態に応じてリモコン端末５に表示させるべき情報になる。５行目のＵＲＬタグ<url>と</url>とで囲まれた範囲がＵＲＬ情報であり、このＵＲＬ情報のうち、"?"以降で、かつ、</url>の手前までがＵＲＬパラメータとなる。
【００４８】
本実施例ではレスポンスの内容にＵＲＬ情報が含まれるか否かによって（図４のＳ１０３参照）、リモコン端末５はＷｅｂブラウザ起動に係る処理（図４のＳ１０５参照）を実行するかどうかを判断している。このＵＲＬ情報の有無と、レスポンス内容の３，４行目におけるカラオケ装置４の状態に応じてリモコン端末５に表示させるべき情報とが、リモコン端末５に対する動作指示と、カラオケ装置４の動作状況を示す情報となる。なお、前記処理内容の詳細については後述する。
【００４９】
リンク情報に含まれる各情報の種別はタグ名によって定義され、開始タグ（<タグ名>）と終了タグ（</タグ名>）とに挟まれたテキストで記述されている。具体的には、図３（ｂ）タグ名の説明に記述している。図３（ｂ）レスポンス内容の３行目〜５行目の中で示されるタグ名「commander」には、自カラオケ装置４のシリアル番号が記述される。シリアル番号の代わりに識別情報や型式番号を用いてもよい。また、タグ名「loca」には、カラオケ装置４が設置されているロケーションや店舗情報（店舗の位置・名称等）が記述される。なお、本実施例では、シリアル番号、ロケーション情報のみが記述されているが、カラオケ装置４の演奏待ち、演奏中の曲名や、時間なども、表示目的に応じて記述される。
【００５０】
また、タグ名「url」には、自カラオケ装置４の現在の動作状況に対応する接続先（例えば、再生中のコンテンツに関するＷｅｂページを提供するＷｅｂサーバ）としてＨＤＤ４４から読み出したホスト名（abcdefg.com）を含むＵＲＬが記述される。このＵＲＬには、リモコン端末５から通知された選択ユーザのユーザＩＤがＵＲＬパラメータ（userid=bro_001）として付加されている。
【００５１】
なお、上記「commander」、「loca」、「url」の各タグで定義される情報の他にも様々な情報をリンク情報として記述することができる。例えば、ユーザ情報として、ユーザＩＤだけでなく、選択ユーザの年齢、性別、趣味、所属グループ等を含む詳細なプロフィールを記述してもよい。ユーザのプロフィールは、そのユーザがログインしたときに、カラオケ装置４がホストサーバのデータベースに予め登録されているプロフィールを取得するようにすればよい。また、カラオケ装置情報として、シリアル番号だけでなく、コンテンツを再生中、予約待ち待機中といった基本情報や、現在再生中のコンテンツ名称・番号や動作中のアプリケーション名等の動作状況を記述してもよい。さらに、カラオケ楽曲を再生中の場合、歌唱しているユーザ（選択ユーザと同一とは限らない）のユーザＩＤを付加してもよい。
【００５２】
［リモコン端末５が実行する情報閲覧処理の説明］
つぎに、リモコン端末５が実行する情報閲覧処理の手順について、図４のフローチャートに基づき説明する。
【００５３】
リモコン端末５のＣＰＵ５１は、まず、リンクボタン５５ａが押下されたか否かを判定する（Ｓ１００）。リンクボタンが押下されない間（Ｓ１００：ＮＯ）、この処理を繰り返す。リンクボタンが押下された場合（Ｓ１００：ＹＥＳ）、操作者として現在選択中のユーザＩＤをＲＡＭ５２から取得する（Ｓ１０１）。そして、取得したユーザＩＤをＵＲＬパラメータとするリクエスト（図３（ａ）参照）を操作対象のカラオケ装置４に対して送信し、これに応じてカラオケ装置４から送信されてくる動作状況情報のレスポンス（図３（ｂ）参照）を取得する（Ｓ１０２）。
【００５４】
つぎに、カラオケ装置４から取得したレスポンスの内容（動作状況情報）にＵＲＬ情報が含まれているか否かを判定する（Ｓ１０３）。ＵＲＬ情報が含まれている場合（Ｓ１０３：ＹＥＳ）、レスポンス内容に含まれるＵＲＬ情報で示されるＵＲＬに対して、上述のユーザ情報（ユーザＩＤ）とリモコン端末動作状況指示に該当するカラオケ装置４のシリアル番号、ロケーション情報とを「フィールド名=値」からなるＵＲＬパラメータに変換して追加し、アクセスＵＲＬ（図３（ｃ）参照）を作成する（Ｓ１０４）。
【００５５】
そして、Ｗｅｂブラウザを起動し、そのＷｅｂブラウザによってアクセスＵＲＬで示される接続先のＷｅｂサーバ２へアクセスし、Ｗｅｂサーバ２から送信されてきたデータに基づいてＷｅｂページを表示部５６に表示する（Ｓ１０５）。なお、アクセスＵＲＬで示される接続先のＷｅｂサーバ２へアクセスする際、レスポンス内容に含まれる上述のユーザ情報やカラオケ装置情報を「フィールド名=値」からなるＵＲＬパラメータに変換しているので、接続先のＷｅｂサーバ２へＵＲＬパラメータとして渡されることとなる。
【００５６】
一方、Ｓ１０３でレスポンスの内容にＵＲＬ情報が含まれていないと判定した場合（Ｓ１０３：ＮＯ）、Ｓ１００の処理へ戻る。
［リモコン端末５が実行する情報閲覧処理の説明］
つぎに、カラオケ装置４が実行する楽曲再生待ち処理及びＣＧＩ処理の手順について、図５のフローチャートに基づき説明する。楽曲再生待ち処理は、カラオケ楽曲の再生を開始するまでの待機時間に再生する広告コンテンツに関するＵＲＬを共有メモリに書き込む処理である。なお、広告コンテンツは、カラオケ楽曲の再生を開始するまでの待機時間を利用して、ＨＤＤ４４に保存された広告コンテンツの一覧である広告リストに基づいて順次再生される。ＣＧＩ処理はリモコン端末５からのリクエストに応じて動作状況情報を生成する処理である。
【００５７】
楽曲再生待ち処理において、カラオケ装置４のＣＰＵ４１は、まず、広告リストにおいて今から再生を開始する広告コンテンツに対応するホスト名をＨＤＤ４４から取得し、その取得したホスト名を含むＵＲＬ情報をＲＡＭ４２の所定領域に割り当てられている共有メモリに書き込む（Ｓ２００）。
共有メモリに書き込み後、当該広告コンテンツの再生を開始する（Ｓ２０２）。そして、広告リストに記載の全ての広告コンテンツの再生が終了したか、又は、ユーザのリクエストしたカラオケ楽曲の再生開始が確定したか、何れかの状態になったか否かを判定する（Ｓ２０４）。ここで、何れの状態にも該当しない場合（Ｓ２０４：ＮＯ）、Ｓ２００の処理へ戻る。そして、現在再生中の広告コンテンツの再生が終了したら、次に再生を開始する広告コンテンツに対応するホスト名を取得し、その取得したホスト名を含むＵＲＬ情報を共有メモリに上書きし（Ｓ２００）、その広告コンテンツの再生を開始する。
【００５８】
一方、広告リストに記載の全ての広告コンテンツの再生が終了したか、又は、ユーザのリクエストしたカラオケ楽曲の再生開始が確定したか、何れかの状態になった場合（Ｓ２０４：ＹＥＳ）、広告コンテンツの再生処理を終了し（Ｓ２０６）、共有メモリの内容をクリアする（Ｓ２０８）。
【００５９】
このように、カラオケ楽曲の再生待ちをしている間は、上記楽曲再生待ち処理によって現在再生中の広告コンテンツに対応するＵＲＬ情報が共有メモリに常に記憶されていることになる。なお、カラオケ楽曲のコンテンツを再生中の場合、上記楽曲再生待ち処理と同様に再生中のカラオケ楽曲に対応するＵＲＬ情報を共有メモリに随時書き込む処理を行えばよい。
【００６０】
一方、ＣＧＩ処理では、カラオケ装置４のＣＰＵ４１は、まず、リンクボタンが押下されたか否かを判定する（Ｓ２０１）。ここでは、リモコン端末５においてリンクボタン５５ａが押下されたときに送信されるリクエスト（図３（ａ）参照）を受信することで肯定判定を行う。リンクボタンが押下されていない間（Ｓ２０１：ＮＯ）、Ｓ２０１の処理を繰り返す。
【００６１】
Ｓ２０１でリンクボタンが押下されたと判定した場合（Ｓ２０１：ＹＥＳ）、共有メモリに記憶されている情報をＵＲＬ情報を読み込み、その読み込んだＵＲＬ情報と、リモコン端末５からのリクエストに含まれるユーザＩＤ、ユーザのプロフィール、自カラオケ装置４のシリアル番号、ロケーション情報、店舗情報等の各種ユーザ情報及びカラオケ装置情報とに基づき、動作状況情報を作成する（Ｓ２０３）。この動作状況情報はＸＭＬの書式に則って作成される（図３（ｂ）参照）。
【００６２】
上記ＣＧＩ処理によって作成された動作状況情報は、カラオケ装置４で機能するＷｅｂサーバプログラムにより、リクエスト元のリモコン端末５へ送信される。
［Ｗｅｂサーバ２が実行する情報送信処理の説明］
つぎに、Ｗｅｂサーバ２が実行する情報送信処理の手順について、図６のフローチャートに基づき説明する。この処理は、リモコン端末５からＷｅｂページデータの送信を要求するリクエストを受信したときに実行される。
【００６３】
Ｗｅｂサーバ２は、まず、リモコン端末５からのリクエストに付属してきたＵＲＬパラメータからユーザＩＤの値を取得する（Ｓ３００）。つぎに、同じくＵＲＬパラメータからロケーション情報の値を取得する（Ｓ３０１）。そして、Ｓ３００，Ｓ３０１で取得したパラメータに基づき、ユーザ及びカラオケ店舗のアクセス履歴をデータベースに記録する（Ｓ３０２）。このアクセス履歴を利用することで、どのユーザがどの店舗からアクセスしてきたかをＷｅｂサーバ２の運営者側で知ることができるようになる。また、リモコン端末５からのリクエストにユーザのプロフィール等のパラメータが付属した場合、そのプロフィールもアクセス履歴に記録してもよい。
【００６４】
つぎに、リモコン端末５からのリクエストで要求されたＷｅｂページのデータを生成し（Ｓ３０３）、その生成したＷｅｂページデータをリクエスト元のリモコン端末５へ送信する（Ｓ３０４）。Ｓ３０３で生成するＷｅｂページは、Ｗｅｂページ提供者側でデータベースに予め用意してある提供情報に加え、リモコン端末５からのリクエストに付属してきたパラメータの内容を加味することで、個々のユーザ向けにカスタマイズされる。具体的には、ユーザＩＤに対応する個々のユーザや、ユーザの年齢、性別、趣味、所属グループ等のプロフィールに適合する個別の情報を付加したり、ロケーション情報に基づく地域別の情報を付加する。あるいは、カラオケ装置４で現在再生中の楽曲コンテンツを示すパラメータが付属してきた場合、その楽曲コンテンツに対応する情報をＷｅｂページに付加する。また、リモコン端末５からＷｅｂページを閲覧してくれたユーザに対して特典を別途与える等の目的で、ユーザが所有する携帯電話６から専用のＷｅｂページ（第２のＷｅｂページ）へアクセスさせるためのＵＲＬ情報をＷｅｂページデータの中に含ませるようにしてもよい。
【００６５】
［効果］
上記実施形態のカラオケネットワークシステム１によれば、下記の効果を奏する。
（１）リモコン端末５に設けられた専用のリンクボタン５５ａをワンタッチ操作するだけで、その時点でのカラオケ装置４の動作状況に同期した内容のＷｅｂページを簡単に閲覧できる。
【００６６】
（２）カラオケ装置４がリモコン端末５へ送信する動作状況情報には、ＵＲＬ情報に加え、ユーザに関する情報や、カラオケ装置４に関するリンク情報が含まれている。ユーザ情報としては、単に選択ユーザのＩＤだけであってもよいし、選択ユーザの詳細なプロフィール（年齢、性別、趣味、所属グループ等）を含むものであってもよい。カラオケ装置情報としては、単にカラオケ装置４のシリアル番号だけであってもよいし、その時のカラオケ装置４の動作状況（再生中のコンテンツ名称・番号や動作中のアプリケーション名等）や、カラオケ装置４（店舗の位置・名称等）等の情報を含むものであってもよい。
【００６７】
（３）カラオケ装置４の動作状況に対応する接続先のＷｅｂサーバ２に、ユーザ情報やカラオケ装置情報をＵＲＬパラメータとして通知することで、Ｗｅｂサーバにおいてこれらの情報を反映し、よりユーザ向けにカスタマイズされた内容のＷｅｂページを作成できる。また、Ｗｅｂサーバ２において、閲覧者の情報や閲覧回数、ロケーション等の集計を行うことができ、広告提供企業に対して広告コンテンツの宣伝効果を開示できるといったメリットもある。
【００６８】
（４）店舗に備え付けのリモコン端末５で閲覧したＷｅｂページのデータ内に第２のＷｅｂページのＵＲＬ情報が含まれている場合、これをユーザが所有する携帯電話６へ送信して第２のＷｅｂページを表示させるといった運用が可能である。これを利用することで、リモコン端末５で広告提供者のＷｅｂページを閲覧してくれたユーザへの見返りとして、第２のＷｅｂページを用いてユーザが所有する携帯電話６に対して特典を付与することができる。
【００６９】
（５）リモコン端末５とカラオケ装置４との間で行われるＨＴＴＰ通信では、ＨＴＴＰレスポンスのレスポンス内容の書式にＨＴＭＬではなくＸＭＬを用いている。これにより、リモコン端末５は、開始タグと終了タグとで囲まれた範囲をタグ名に対応する情報として、容易にレスポンス内容から抽出できる。よって、リモコン端末５がカラオケ装置４からレスポンス内容を受信してからＷｅｂサーバ２にアクセスするまでの時間がＨＴＭＬを用いる場合よりも短くなる。このため、ユーザによるリンクボタン押下後に、ユーザに対して短時間でＷｅｂページを提示できると共に、広告提供者に対して広告効果をより短時間で開示できる。
【００７０】
［変形例］
以上、本発明の実施形態について説明したが、本発明は上記の実施形態に何ら限定されるものではなく様々な態様にて実施することが可能である。
【００７１】
例えば、上記実施形態では、カラオケ装置４のＨＤＤ４３に記憶されているホスト名に基づき、動作状況に対応したＵＲＬ情報をカラオケ装置４が生成する構成となっている。これに限らず、カラオケ装置４の動作状況に対応したホスト名をカラオケ装置４からリモコン端末５へ通知し、リモコン端末５がＵＲＬ情報を生成する構成であってもよい。
【００７２】
あるいは、上記実施形態では、本発明をカラオケ装置４、リモコン端末５及びＷｅｂサーバ２からなるカラオケネットワークシステム１に適用した事例について説明したが、本発明の技術的思想はカラオケネットワークシステム以外にも適用できる。具体的には、表示パネルとＷｅｂブラウザ機能を備えたプリンタや複合機等の周辺機器（特許請求の範囲の情報閲覧端末に相当）と、この周辺機器と共に利用されるパソコン（特許請求の範囲の情報処理装置に相当）と、インターネットに接続したＷｅｂサーバからなるシステムが挙げられる。
【００７３】
このようなシステムに本発明を適用した場合、以下のように構成することが考えられる。周辺機器に設けられたリンクボタンをワンタッチ操作することで、この周辺機器はパソコンに対して動作状況の問い合わせをするリクエストを送信する。周辺機器からリクエストを受信したパソコンは、現在稼働中のアプリケーションの動作状況に応じたリンク情報を生成し、これをリクエスト元の周辺機器へレスポンスとして送信する。このリンク情報には、動作状況に対応する接続先のホスト名又はＵＲＬの他に、自パソコンの識別情報や型式番号、動作状況等を含むようにしてもよい。
【００７４】
パソコンからリンク情報のレスポンスを受信した周辺機器は、このリンク情報に含まれる接続先情報（ホスト名やＵＲＬ）を元に、インターネット経由でＷｅｂサーバへアクセスする。このとき、自周辺機器の識別情報や型式番号、動作状況等のデータをＵＲＬパラメータとして付加してもよい。あるいは、パソコンから受信したリンク情報に含まれるパソコンの識別情報や型式番号、動作状況等のデータをＵＲＬパラメータとして付加してもよい。
【００７５】
周辺機器からＷｅｂページの送信をリクエストされたＷｅｂサーバは、周辺機器から通知されたパラメータの内容に基づいて内容を周辺機器のＷｅｂブラウザで表示が可能なようにカスタマイズしたＷｅｂページデータを生成し、これを周辺機器へ送信する。
【００７６】
ＷｅｂサーバからＷｅｂページデータを受信した周辺機器は、表示部にＷｅｂブラウザを介してＷｅｂページを表示する。このように構成することで、プリンタや複合機等の周辺機器がインターネット経由でＷｅｂサーバから取得する閲覧コンテンツ（例えば、マニュアル等）の内容と、パソコンの種類（識別情報や型式番号）に応じた動作状況とを同期させることができるようになる。これにより、周辺装置が接続したパソコンで稼働中のアプリケーションの処理状況に応じたインターネット上の閲覧コンテンツを周辺機器で即座に取得して自周辺機器のＷｅｂブラウザに表示可能なＷｅｂページにカスタマイズされた状態で提示できる。
【符号の説明】
【００７７】
１…カラオケネットワークシステム、２…Ｗｅｂサーバ、４…カラオケ装置、５…リモコン端末、４１，５１…ＣＰＵ、４２，５２…ＲＡＭ、４３．５３…ＲＯＭ、４４…ＨＤＤ、５４…不揮発性メモリ、４５，５５…操作部、４６…再生部、５６…表示部、４７，…ＬＡＭ、５７…無線ＬＡＮ通信部、５８…ＲＦＩＤ通信部、１００…ＬＡＮ、１１０…無線アクセスポイント、１２０…ルータ、２００…インターネット
【図１】
2011075925.tif 000003
【図２】
2011075925.tif 000004
【図３】
2011075925.tif 000005
【図４】
2011075925.tif 000006
【図５】
2011075925.tif 000007
【図６】
2011075925.tif 000008